(57)【要約】【課題】オートブラケット撮影された画像を表示するに際して、表示画像の撮影条件が容易にわかり、オートブラケット撮影された複数の画像のうちどの画像が最も好ましい画像であるかを容易に判断することができる画像表示システムおよび画像表示方法を得る。【解決手段】画像データがオートブラケット撮影された画像データであるかどうかを判断し、オートブラケット撮影された画像データを表示するに際して撮影条件も同時に表示する。オートブラケット撮影された複数枚の画像を同時に表示する。オートブラケット撮影された複数枚の画像とそれぞれの画像の撮影条件とを同時に表示する。オートブラケット撮影された複数枚の画像を一枚一枚送り戻し表示する。オートブラケット撮影された複数枚の画像を一枚一枚送り戻し表示するに際して、表示している画像の撮影条件を同時に表示する。【選択図】図１
2005080160.tif 000002
【特許請求の範囲】
【請求項１】
撮像装置で撮影された画像データを表示する画像表示システムにおいて、
上記画像データが撮影条件を変更して所定コマ数を連続撮影するオートブラケット撮影された画像データであるかどうかを判断するオートブラケット画像判定手段と、
上記オートブラケット画像判定手段によりオートブラケット撮影された画像データであると判断されたデータを表示するに際して上記撮影条件も同時に表示する撮影条件表示手段とを備えていることを特徴とする画像表示システム。
【請求項２】
オートブラケット撮影で連続撮影された複数枚の画像を同時に表示するオートブラケット画像表示手段をさらに備えていることを特徴とする請求項１記載の画像表示システム。
【請求項３】
オートブラケット撮影で連続撮影された複数枚の画像と、それぞれの画像の撮影条件とを同時に表示するオートブラケット画像撮影条件表示手段をさらに備えていることを特徴とする請求項２記載の画像表示システム。
【請求項４】
オートブラケット撮影で連続撮影された複数枚の画像を一枚一枚送り戻し表示するオートブラケット画像送り戻し表示手段をさらに備えていることを特徴とする請求項１から３のいずれかに記載の画像表示システム。
【請求項５】
オートブラケット撮影で連続撮影された複数枚の画像を一枚一枚送り戻し表示するに際して、表示している画像の撮影条件を同時に表示するオートブラケット画像撮影条件送り戻し表示手段をさらに備えていることを特徴とする請求項４記載の画像表示システム。
【請求項６】
撮像装置で撮影された画像データを表示する画像表示方法において、
上記画像データが撮影条件を変更して所定コマ数を連続撮影するオートブラケット撮影された画像データであるかどうかを判断するオートブラケット画像判定工程と、
上記オートブラケット画像判定工程によりオートブラケット撮影された画像データであると判断されたデータを表示するに際して上記撮影条件も同時に表示する撮影条件表示工程とを備えていることを特徴とする画像表示方法。
【請求項７】
オートブラケット撮影で連続撮影された複数枚の画像を同時に表示するオートブラケット画像表示工程をさらに備えていることを特徴とする請求項６記載の画像表示方法。
【請求項８】
オートブラケット撮影で連続撮影された複数枚の画像と、それぞれの画像の撮影条件とを同時に表示するオートブラケット画像撮影条件表示工程をさらに備えていることを特徴とする請求項７記載の画像表示方法。
【請求項９】
オートブラケット撮影で連続撮影された複数枚の画像を一枚一枚送り戻し表示するオートブラケット画像送り戻し表示工程をさらに備えていることを特徴とする請求項６から８のいずれかに記載の画像表示方法。
【請求項１０】
オートブラケット撮影で連続撮影された複数枚の画像を一枚一枚送り戻し表示するに際して、表示している画像の撮影条件を同時に表示するオートブラケット画像撮影条件送り戻し表示工程をさらに備えていることを特徴とする請求項９記載の画像表示方法。
【発明の詳細な説明】
【技術分野】
【０００１】
本発明は、オートブラケット撮影された画像、すなわち撮影条件を変更して所定コマ数を連続撮影する方法で撮影された画像を表示する画像表示システムおよび画像表示方法に関するもので、各種カメラなどの撮像装置、撮影画像を表示するモニタ、画像編集装置等に適用可能なものである。
【背景技術】
【０００２】
従来から、画像データを表示する画像表示アプリケケーションといわれる画像表示システム、および画像表示方法がある。
しかしながら、撮影条件を変更して所定コマ数を連続撮影された画像データ、すなわち「オートブラケット撮影された画像データ」は、通常の連続撮影データすなわち撮影条件を変えずに連続撮影されたいわゆる「連写画像データ」との判別が困難であった。
また、オートブラケット撮影された画像データは、この画像のみを見ただけでは、どのような撮影条件の下で撮影された画像データなのかを判断することが困難であった。
【０００３】
そこで、撮影画像データと撮影条件データとを保存し、撮影画像の表示とともに撮影条件を表示することが考えられる。例えば、撮影画像データと撮影条件データとを対応付けてファイリングしたものでありながら、撮影画像のみを汎用性のあるシフトウエアを用いて読み取り可能にする画像ファイリング装置が提案されている（例えば、特許文献1参照）。このファイリング装置は、転送制御手段により画像出力装置から撮影画像とその撮影条件データとをリンクさせた状態で受信画像記憶部および撮影条件記憶部に個別に転送させて格納するようになっている。そして、ファイル記録制御手段が、格納されている撮影画像データを保存用画像記憶部の所定のアドレスに格納し、また、撮影画像の間引きデータ、撮影画像に関する撮影条件データおよびこの撮影画像の保存用記憶部におけるアドレスからなるサムネイル画像ファイルを各撮影画像について作成し、検索用データ記憶部に格納するようになっている。したがって、検索情報を用いて撮影画像の検索が可能であり、撮影画像と撮影条件データとを別々に出力させることもできる。
【０００４】
また、別の先行技術として、取り込んだ撮影画像のアスペクト比によって表示手段に表示する際の、アスペクト比の変更の可否を切り換えることにより、使い勝手を向上させることを目的とした画像ファイリングシステムが提案されている（例えば、特許文献2参照）。
【０００５】
【特許文献１】特開２００３−５７１６０号公報
【特許文献２】特開２００３−５９５８６号公報
【発明の開示】
【発明が解決しようとする課題】
【０００６】
特許文献１にも、特許文献２みも、オートブラケット撮影された画像データのファイリング、あるいはファイリングされたオートブラケット撮影画像データの表示に関してはなんら開示がなく、そもそもオートブラケット撮影自体に関する記載がない。
オートブラケット撮影された画像を表示する場合、画像をひとつずつ個別に表示しても、その画像からその撮影条件を判断することは困難である。また、オートブラケット撮影された画像をひとつずつ表示しても、オートブラケット撮影された複数の画像のうちどの画像が最も好ましい画像であるかを判断することは困難である。
そこで本発明は、オートブラケット撮影された画像を表示するに際して、表示画像の撮影条件が容易にわかるようにすること、そして、オートブラケット撮影された複数の画像のうちどの画像が最も好ましい画像であるかを容易に判断することができる画像表示システムおよび画像表示方法を提供することを目的とする。
請求項ごとに記載された発明の目的は次のとおりである。
【０００７】
請求項１および６記載の発明の目的は、オートブラケット撮影された画像データを表示する際に、撮影条件も同時に表示することで、ユーザに、その画像がオートブラケット撮影された画像であること、また、その撮影条件を容易に理解させることができる画像表示システムおよび画像表示方法を提供することにある。
【０００８】
請求項２および７記載の発明の目的は、オートブラケット撮影で連続撮影された複数枚の画像を同時に表示することで、ユーザに、その画像郡がオートブラケット撮影で連続撮影された画像郡であることを理解させること、また撮影条件の異なる画像郡を同時に見比べることを可能にした画像表示システムおよび画像表示方法を提供することにある。
【０００９】
請求項３および８記載の発明の目的は、オートブラケット撮影で連続撮影された複数枚の画像と、各画像の撮影条件とを同時に表示ことで、ユーザに、それらの画像郡がオートブラケット撮影で連続撮影された画像郡であることを理解させること、また撮影条件の異なる画像郡を同時に見比べることを可能にすること、さらに、各画像の撮影条件を理解させることを可能にした画像表示システムおよび画像表示方法を提供することにある。
【００１０】
請求項４および９記載の発明の目的は、オートブラケット撮影で連続撮影された複数枚の画像のみを一枚一枚送り戻し表示することで、ユーザに、それらの画像郡がオートブラケット撮影で連続撮影された画像郡であることを理解させること、また撮影条件の異なる画像郡を連続して一枚一枚確認することを可能にした画像表示システムおよび画像表示方法を提供することにある。
【００１１】
請求項５および１０記載の発明の目的は、オートブラケット撮影で連続撮影された複数枚の画像のみを一枚一枚送り戻し表示する際に、各画像の撮像条件を表示することで、ユーザに、それらの画像郡がオートブラケット撮影で連続撮影された画像郡であることを理解させること、また撮影条件の異なる画像郡を連続して一枚一枚確認することを可能にすること、さらに、各画像の撮影条件を理解させることができる画像表示システムおよび画像表示方法を提供することにある。
【課題を解決するための手段】
【００１２】
本発明は、請求項１および６に記載されているように、表示しようとする画像データがオートブラケット撮影された画像データであるかどうかを判断し、オートブラケット撮影された画像データであると判断されたデータを表示するに際して上記撮影条件も同時に表示することを最も主要な特徴とする。
【００１３】
これに加えて、請求項２および７記載の発明は、オートブラケット撮影で連続撮影された複数枚の画像を同時に表示する機能を有していること、請求項３および７記載の発明は、オートブラケット撮影で連続撮影された複数枚の画像とそれぞれの画像の撮影条件とを同時に表示する機能を有していることを特徴としている。請求項４および８記載の発明は、オートブラケット撮影で連続撮影された複数枚の画像を一枚一枚送り戻し表示する機能を有していること、請求項５および１０記載の発明は、オートブラケット撮影で連続撮影された複数枚の画像を一枚一枚送り戻し表示するに際して、表示している画像の撮影条件を同時に表示する機能を有することをそれぞれ特徴としている。
【発明の効果】
【００１４】
請求項１および６記載の発明においては、オートブラケット撮影された画像データを表示する際に、撮影条件も同時に表示するので、ユーザに、その画像がオートブラケット撮影された画像であること、およびその撮影条件を容易に理解させることができる。
【００１５】
請求項２および７記載の発明においては、オートブラケット撮影で連続撮影された複数枚の画像を同時に表示するので、ユーザに、それらの画像郡がオートブラケット撮影で連続撮影された画像郡であることを理解させること、そして撮影条件の異なる画像郡を同時に見比べることを可能にすることができる。
【００１６】
請求項３および８記載の発明においては、オートブラケット撮影で連続撮影された複数枚の画像と、それぞれの画像の撮影条件とを同時に表示ので、ユーザに、それらの画像郡がオートブラケット撮影で連続撮影された画像郡であることを理解させること、また撮影条件の異なる画像郡を同時に見比べることを可能にすること、さらに、それぞれの画像の撮影条件を理解させることができる。
【００１７】
請求項４および９記載の発明においては、オートブラケット撮影で連続撮影された複数枚の画像のみを一枚一枚送り戻し表示するので、ユーザに、それらの画像郡がオートブラケット撮影で連続撮影された画像郡であることを理解させること、また撮影条件の異なる画像郡を連続して一枚一枚確認することを可能にすることができる。
【００１８】
請求項５および１０記載の発明においては、オートブラケット撮影で連続撮影された複数枚の画像のみを一枚一枚送り戻し表示する際に、各画像の撮像条件を表示するので、ユーザに、それらの画像郡がオートブラケット撮影で連続撮影された画像郡であることを理解させること、また撮影条件の異なる画像郡を連続して一枚一枚確認することを可能にすること、さらに、各画像の撮影条件を理解させることができる。
【発明を実施するための最良の形態】
【００１９】
以下に、本発明の一実施形態について、オートブラケット撮影可能なデジタルカメラから転送された画像を表示する、画像表示システム（アプリケーション）を例に説明する。
図１は、本発明の画像表示システムによってディスプレイに表示された画像の例を示している。図１において、画像１、画像２、画像３は、オートブラケット撮影で露出条件を変更して連続撮影された３枚の画像の例を示している。これらの画像は横並びで表示されており、各画像の下には、それぞれの画像が撮影された際の撮影条件データが表示されている。図１に示す撮影条件データは、露出条件であって、画像１は適正露出（標準露出）に対して−０．５ＥＶで、画像２は適正露出ですなわち±０ＥＶで、画像３は適正露出に対して＋０．５ＥＶで撮影された例が表示されている。かかる画像表示形態は、請求項１、請求項２、請求項３、請求項６、請求項７、請求項８記載の発明による画像表示形態に対応する。
【００２０】
表示する撮影条件データとしては、上記の例のほかに、オートブラケット撮影でホワイトバランス条件を変更して連続撮影された画像データ、あるいは、露出条件とホワイトバランス条件の両方を変更して連続撮影された画像データを表示するようにしてもよい。画像は縦並びで表示するようにしてもよい。画像ごとに変更された条件は、画像の上、あるいは横に表示するようにしてもよい。オートブラケット撮影において連続撮影される画像の枚数は、３枚に限らず、それ以上またはそれ以下（したがって、２枚）であってもよい。
【００２１】
図２は、オートブラケット撮影で露出条件を変更して連続撮影された複数枚の画像のうち、１枚の画像を表示した例を示す。ここでは、図１に示すような３枚の画像がオートブラケット撮影されたとして、画像２が表示されている例を示している。したがって、画像２とともに表示されている撮影条件データは露出条件に関するデータであって、適正露出すなわち±０ＥＶが表示されている。図２において、画面の上側には、左向きの矢印ボタン２と右向きの矢印ボタン４が表示されている。これらの矢印ボタン２，４は、いずれか一方を選択してクリックすることにより、オートブラケット撮影により連続撮影された複数枚の画像のみを１枚ずつ送り戻ししながら表示することができるようになっている。かかる画像表示形態は、請求項４、請求項５、請求項９、請求項１０記載の発明による画像表示形態に対応する。
【００２２】
図２に示すような表示形態、すなわち、１枚の画像のみが表示されているにもかかわらず、撮影条件データが表示されていることにより、あるいは、矢印ボタン２，４が表示されていることにより、ユーザに、それらの画像郡がオートブラケット撮影で連続撮影された画像郡であることを理解させることができる。また、撮影条件の異なる画像郡を連続して一枚一枚確認することができる。これらの画像群の中から最良の画像を選択することができる。
【００２３】
なお、矢印ボタン２，４は上下方向の矢印で表示するようにしてもよい。また、例えば、露出条件とホワイトバランス条件の両方を変更してオートブラケット撮影により連続撮影された画像データを表示する場合には、左右方向と上下方向の合計４つの矢印を表示し、これらの矢印をクリックすることにより、オートブラケット撮影された画像を１枚ずつ送り戻ししながら表示するようにしてもよい。
【００２４】
次に、以上説明したような撮影画像表示および撮影条件データ表示を行わせるための、システム構成の例について図３を参照しながら説明する。図３において、符号１０は撮像装置を、符号１４はパーソナルコンピュータ（ＰＣ）をそれぞれ示している。撮像装置１０は、例えば、デジタルカメラでもよい。撮像装置１０は、オートブラケット撮影が可能である。オートブラケット撮影時、所定駒数が連続して撮影される際に，撮影駒ごとに撮影条件、例えば露出条件を段階的に、かつ自動的に変更する。
【００２５】
撮像装置１０による画像ファイル（撮影データ）１１は、ＵＳＢやＬＡＮを使用してＰＣ１４に転送され、メモリ１５に格納される。画像ファイル１１は、画像データ１２と、撮影条件データ１３からなる。
【００２６】
ＰＣ１４は、画像および撮影条件データを表示するためのディスプレイ２０を有するとともに、オートブラケット画像／撮影条件表示手段１８、オートブラケット画像／撮影条件送り戻し表示手段１９を有している。また、ユーザの任意の選択により、オートブラケット画像／撮影条件表示手段１８、オートブラケット画像／撮影条件送り戻し表示手段１９のうちのひとつを選択する表示モード切り換え手段１７を有している。表示モード切り換え手段１７の選択によって、表示モードが、オートブラケット画像／撮影条件表示モード、オートブラケット画像／撮影条件送り戻し表示モードのいずれかに切り換えられるようになっている。
【００２７】
上記メモリ１５に格納された画像ファイル１１の撮影条件データ１３に基づいて、表示しようとする個々の画像がオートブラケット画像であるかどうかを判定するオートブラケット画像判定手段１６を備えている。表示しようとする画像がオートブラケット画像であると、オートブラケット画像判定手段１６が判断したときは、上記表示モード切り換え手段１７を介して、上記オートブラケット画像の各種表示モードのひとつによってディスプレイ２０にオートブラケット画像とともに撮影条件データが表示されるようになっている。一方、表示しようとする画像がオートブラケット画像ではないと判断されたときは、画像データのみがディスプレイ２０に入力されて、画像のみが表示されるようになっている。
【産業上の利用可能性】
【００２８】
本発明は、デジタルカメラ、コンピュータ、画像のファイリング装置など、画像を扱う装置、システムなどに適用することができる。そして、ひとつの撮影対象につき撮影条件を変えて複数駒を撮影し、それぞれの撮影画像を表示することができるため、複数の撮影駒の中から最良の撮影画像を選択して採用することができる。したがって、広告、出版、印刷などの産業において利用することができる。また、それぞれの撮影画像データとともに各画像データに対応した撮影条件データを表示することができるため、最良の撮影画像を得るための撮影機材の特性を把握することができ、よりよい画像を得るための指針とすることができる。
【図面の簡単な説明】
【００２９】
【図１】本発明にかかる画像表示システムおよび画像表示方法による画像表示の例を示す図である。
【図２】本発明にかかる画像表示システムおよび画像表示方法による画像表示の別の例を示す図である。
【図３】本発明にかかる画像表示システムおよび画像表示方法の実施形態を示す機能ブロック図である。
【符号の説明】
【００３０】
１０    撮像装置
１８    オートブラケット画像判定手段
２０    撮影画像表示手段
２１    オートブラケット画像表示手段
２２    オートブラケット画像撮影条件表示手段
２３    オートブラケット画像送り戻し表示手段
２４    オートブラケット画像撮影条件送り戻し表示手段
２５    ディスプレイ
【図１】
2005080160.tif 000003
【図２】
2005080160.tif 000004
【図３】
2005080160.tif 000005